(57)【特許請求の範囲】
【請求項１】
ＡＤＳＬ通信用のＡＤＳＬ信号と音声帯域信号とが混在した混在信号の入出力が可能な第１及び第２の混在信号入出力手段と、第１または第２の混在信号入出力手段から入力した混在信号から前記ＡＤＳＬ信号と前記音声帯域信号とを分離する分離手段と、前記分離した音声帯域信号を出力する機能及び音声帯域信号を入力する機能を有する第１及び第２の音声入出力手段とを有し、該第１または第２の音声入出力手段から入力された音声帯域信号と前記第１または第２の混在信号入出力手段の一方から入力された混在信号を前記分離手段で分離したＡＤＳＬ信号とを混在させた混在信号を生成して他方の前記混在信号入出力手段から該混在信号を出力せしめる機能を有することを特徴とするＡＤＳＬ回線用アダプタ。
【請求項２】
請求項１に記載のＡＤＳＬ回線用アダプタにおいて、前記分離手段は、ＡＤＳＬ信号に該当する所定高帯域の信号のみを通過せしめるハイパスフィルタと、音声帯域信号に該当する所定低帯域の信号のみを通過せしめるローパスフィルタとを有し、該ローパスフィルタは、前記第１の混在信号入出力手段と前記第１の音声入出力手段との間の信号路上と、前記第２の音声入出力手段と前記第２の混在信号入出力手段との間の信号路上との２カ所に配され、前記ハイパスフィルタは前記第１及び第２のローパスフィルタをバイパスして前記第１及び第２の混在信号入出力手段を結ぶ信号線上に配置されていることを特徴とするＡＤＳＬ回線用アダプタ。
【請求項３】
請求項１または２に記載のＡＤＳＬ回線用アダプタにおいて、該ＡＤＳＬ回線用アダプタの機能を、回線による通信を制御する回線網制御装置に内蔵し、該回線網制御装置と前記第１及び第２の音声信号入出力手段が接続されていることを特徴とするＡＤＳＬ回線用アダプタ内蔵回線網制御装置。
【請求項４】
請求項１または２に記載のＡＤＳＬ回線用アダプタと、該ＡＤＳＬ回線用アダプタの第１の混在信号入出力手段に接続されるスプリッタと、前記ＡＤＳＬ回線用アダプタの前記第１及び第２の音声入出力手段に接続される回線網制御装置と、該回線網制御装置に接続される計測メータ等とにより構成される集中監視システムであって、該ＡＤＳＬ回線用アダプタの前記第２の混在信号入出力手段に回線網を接続することにより、前記回線網制御装置の機能によって、該回線網を介して集中監視を行う監視センタと前記計測メータ等との間で該計測メータ等の検針値情報等を含む情報を送受信可能とし、かつ前記回線網制御装置の動作に係わらず、ＡＤＳＬ通信を利用可能としたことを特徴とする集中監視システム。
【請求項５】
請求項３に記載のＡＤＳＬ回線用アダプタ内蔵回線網制御装置と、該ＡＤＳＬ回線用アダプタの第１の混在信号入出力手段に接続されるスプリッタと、該ＡＤＳＬ回線用アダプタに接続される計測メータとにより構成されるメータ集中監視システムであって、該ＡＤＳＬ回線用アダプタの前記第２の混在信号入出力手段に回線網を接続することにより、前記ＡＤＳＬ回線用アダプタの回線網制御機能によって、該回線網を介して集中監視を行う監視センタと前記計測メータとの間で該計測メータの検針値情報を含む情報を送受信可能とし、かつ前記回線網制御機能の動作に係わらず、ＡＤＳＬ通信を利用可能としたことを特徴とする集中監視システム。
【請求項６】
請求項４または５に記載の集中監視システムにおいて、前記ＡＤＳＬ回線用アダプタを屋外に配設して用いることを特徴とする集中監視システム。
【発明の詳細な説明】
【０００１】
【発明の属する技術分野】
本発明は、ＡＤＳＬ回線用アダプタ及び集中監視システム、より詳細には、加入者線における保安器とスプリッタとの間に設置することにより一般公衆又は自営回線で使用しているテレメータ（集中監視）システム用端末等の回線網制御装置（ＮＣＵ）を特別な工事を必要とせずに利用できるようにしたＡＤＳＬ回線用アダプター及び該アダプタを用いた集中監視システムに関する。
【０００２】
【従来の技術】
近年、インターネット等のマルチメディア型サービスが一般家庭を含めて社会全体へ広く普及してきている。このようなサービスを安価に提供するため、光ケーブル等の伝送媒体を新たに敷設することなく、既存のメタリック電話回線を利用して高速データ通信を実現するＡＤＳＬ（Asymmetric Digital Subscriber Line）通信が普及しようとしている。
【０００３】
ＡＤＳＬ通信では、電話サービスで使用しない４ｋＨｚ以上（実際には２５ｋＨｚ以上１.２ＭＨｚ以下）の帯域を高速デジタル信号の伝送に使用し、一方４ｋＨｚ以下の帯域を従来通り音声信号の伝送に使用する。そのため、既設のメタリック電話回線上には音声信号と高速デジタル信号とが混在しており、局側及び加入者側ではスプリッタを使用してその音声信号を分離抽出する。
【０００４】
ＡＤＳＬ回線の局側及び加入者側にはスプリッタが接続される。局側のスプリッタでは、２５ｋＨｚ以上１.２ＭＨｚ以下の高速データ信号であるＡＤＳＬ信号（ADSL Signal）が４ＫＨｚ以下の低域音声信号と同一の回線上に転送される。そして加入者側のスプリッタは、音声信号を通過させる回路と、ＡＤＳＬ信号を通過させる回路とを有してこれらを分離し、所定の出力手段に出力する。
【０００５】
図５は、ＡＤＳＬ通信方式を利用するために必要とする機器構成例を説明するためのブロック図である。図５において、例えば一般家庭やオフィスの屋内にてＡＤＳＬによるデータ通信を利用しようとする場合、局に接続する公衆回線網９から加入者線１０が引き込まれ、例えば屋外壁面等に設置される保安器２に接続される。
【０００６】
保安器２からの配線は、屋内に入り例えば図示しないモジュラージャックを経て、加入者側のスプリッタ３に接続される。スプリッタ３では、上述したごとくの機能により、低帯域の音声帯域信号と、高速データ通信用の高帯域ＡＤＳＬ信号とに分離され、音声信号用出力ポートには、電話機６やその他ファクシミリ等の音声帯域信号を用いる機器類が接続可能で、高帯域用出力ポートには、ＡＤＳＬモデム４を介してＰＣ５等の機器が接続される。
【０００７】
一方、家庭やオフィス等において設置されるガスメータ等のメータ等を集中監視するシステムがある。このような集中監視システムでは、テレメータシステム用端末装置等の回線網制御装置（例えば、電話回線を制御して電話をかけたり切ったりすることができるＮＣＵ（Network Control Unit）がある。）を用いて、メータからの積算値等の情報を集中監視センタに送信することによって管理を行う。このような回線網制御装置は電話回線に接続し、この電話回線を介して集中監視センタとの間でデータ通信を行うようにするのが一般的である。
【０００８】
図６は、上述のようなメータの集中監視システムをＡＤＳＬシステムに導入しようとする場合の構成例について説明するためのブロック図である。回線網制御装置７による通信は、音声帯域信号を用いるが、ＡＤＳＬ信号と音声帯域信号とが混合された信号ではなく、スプリッタ３によって分離された音声帯域信号を入力させる必要がある。スプリッタ３は、一般に上記モジュラージャックを介して家庭やオフィス等の屋内に設置されているため、ＡＤＳＬ通信を利用したシステムに集中監視システムを導入しようとする場合、図６に示すように、屋内のスプリッタ３の音声帯域信号用入出力ポートから回線網制御装置７を介して屋外のガスメータ８に配線を行う必要があり、屋内から屋外への配線工事が必要となり、システム導入の簡便性が損なわれるという問題がある。
【０００９】
【発明が解決しようとする課題】
本発明は、上述のごとき実情に鑑みてなされたもので、メータ等の集中監視システムをＡＤＳＬデータ通信システムに組み込むためのアダプタであって、一般家庭やオフィス等において屋内から屋外への配線工事を行う必要なく、簡易な工事のみでシステム化を行うことができるＡＤＳＬ回線用テレメータアダプタと、該アダプタを用いて実現する集中監視システムを提供することを目的とするものである。
【００１０】
【課題を解決するための手段】
請求項１の発明は、ＡＤＳＬ通信用のＡＤＳＬ信号と音声帯域信号とが混在した混在信号の入出力が可能な第１及び第２の混在信号入出力手段と、第１または第２の混在信号入出力手段から入力した混在信号から前記ＡＤＳＬ信号と前記音声帯域信号とを分離する分離手段と、前記分離した音声帯域信号を出力する機能及び音声帯域信号を入力する機能を有する第１及び第２の音声入出力手段とを有し、該第１または第２の音声入出力手段から入力された音声帯域信号と前記第１または第２の混在信号入出力手段の一方から入力された混在信号を前記分離手段で分離したＡＤＳＬ信号とを混在させた混在信号を生成して他方の前記混在信号入出力手段から該混在信号を出力せしめる機能を有することを特徴としたものである。
【００１１】
請求項２の発明は、請求項１の発明において、前記分離手段は、ＡＤＳＬ信号に該当する所定高帯域の信号のみを通過せしめるハイパスフィルタと、音声帯域信号に該当する所定低帯域の信号のみを通過せしめるローパスフィルタとを有し、該ローパスフィルタは、前記第１の混在信号入出力手段と前記第１の音声入出力手段との間の信号路上と、前記第２の音声入出力手段と前記第２の混在信号入出力手段との間の信号路上との２カ所に配され、前記ハイパスフィルタは前記第１及び第２のローパスフィルタをバイパスして前記第１及び第２の混在信号入出力手段を結ぶ信号線上に配置されていることを特徴としたものである。
【００１２】
請求項３の発明は、請求項１または２の発明において、該ＡＤＳＬ回線用アダプタの機能を、回線による通信を制御する回線網制御装置に内蔵し、該回線網制御装置と前記第１及び第２の音声信号入出力手段が接続されていることを特徴としたものである。
【００１３】
請求項４の発明は、請求項１または２に記載のＡＤＳＬ回線用アダプタと、該ＡＤＳＬ回線用アダプタの第１の混在信号入出力手段に接続されるスプリッタと、前記ＡＤＳＬ回線用アダプタの前記第１及び第２の音声入出力手段に接続される回線網制御装置と、該回線網制御装置に接続される計測メータ等とにより構成される集中監視システムであって、該ＡＤＳＬ回線用アダプタの前記第２の混在信号入出力手段に回線網を接続することにより、前記回線網制御装置の機能によって、該回線網を介して集中監視を行う監視センタと前記計測メータ等との間で該計測メータ等の検針値情報等を含む情報を送受信可能とし、かつ前記回線網制御装置の動作に係わらず、ＡＤＳＬ通信を利用可能としたことを特徴としたものである。
【００１４】
請求項５の発明は、請求項３に記載のＡＤＳＬ回線用アダプタ内蔵回線網制御装置と、該ＡＤＳＬ回線用アダプタの第１の混在信号入出力手段に接続されるスプリッタと、該ＡＤＳＬ回線用アダプタに接続される計測メータとにより構成されるメータ集中監視システムであって、該ＡＤＳＬ回線用アダプタの前記第２の混在信号入出力手段に回線網を接続することにより、前記ＡＤＳＬ回線用アダプタの回線網制御機能によって、該回線網を介して集中監視を行う監視センタと前記計測メータとの間で該計測メータの検針値情報を含む情報を送受信可能とし、かつ前記回線網制御機能の動作に係わらず、ＡＤＳＬ通信を利用可能としたことを特徴としたものである。
【００１５】
請求項６の発明は、請求項４または５の発明において、前記ＡＤＳＬ回線用アダプタを屋外に配設して用いることを特徴としたものである。
【００１６】
【発明の実施の形態】
図１は、本発明のＡＤＳＬ回線用アダプタを用いたＡＤＳＬ通信システムの構成例について説明するためのブロック図である。本発明の実施例においては、局に接続する公衆回線網９から加入者線１０が引き込まれ、例えば屋外壁面等に設置される保安器２に接続される。そして保安器２からの配線は、本発明のＡＤＳＬ回線用アダプタ１に接続され、一方の入出力ポートからの配線は屋外の回線網制御装置７に接続され、他方の入出力ポートからの配線は屋内に入り、例えば図示しないモジュラージャックを経て、加入者側のスプリッタ３に接続される。スプリッタ３では、低帯域の音声帯域信号と高速データ通信用のＡＤＳＬ信号とに分離され、低帯域用入出力ポートには、電話機６やその他ファクシミリ等の音声帯域信号を用いる機器類が接続可能で、また高帯域用出力ポートには、従来例と同様にＡＤＳＬモデム４を介してＰＣ５等の機器が接続される。屋外の回線網制御装置７は、従来例にて説明したごとくに例えばガスメータ８の積算値を送信したり、ガス集中監視センタからのセキュリティ情報要求等をガスメータ８に送信したりする機能を有する。
【００１７】
図２は、ＡＤＳＬ回線用アダプタ１の機能及び該アダプタに対する配線構成について説明するための図である。保安器２から、音声帯域信号とＡＤＳＬ信号とが混合された信号(混在信号)がＡＤＳＬ用アダプタ１に入力する。従って、保安器２とＡＤＳＬ回線用アダプタ１との間には２芯線を用いればよい。ＡＤＳＬ回線用アダプタ１は、周波数分配機能(分離手段)を有し、入力した混合信号を音声帯域信号とＡＤＳＬ信号に分離し、ＡＤＳＬ信号をスプリッタ３に出力し、音声帯域信号を回線網制御装置７のＬ１／Ｌ２に出力する。
【００１８】
回線網制御装置７のＴ１／Ｔ２からの音声帯域信号は、再びＡＤＳＬ用アダプタ１に入力し、スプリッタ３に出力される。このときに回線網制御装置７から入力した音声帯域信号と、分離されたＡＤＳＬ信号は再び混合されて出力されることになる。従って、ＡＤＳＬ用アダプタ１と回線網制御装置７との配線は２芯線を２つ用いることになる。また、ＡＤＳＬ用アダプタ１とスプリッタ３との間の配線は２芯線でよい。なお、上記の説明においては、保安器２側からの信号入力について説明したが、スプリッタ３側からの入力信号も同様な分離機能によって分離されたのち、再び混合されて保安器２に出力される。
【００１９】
すなわち、本発明のＡＤＳＬ用アダプタ１に入力したＡＤＳＬ通信用の混合信号は、該アダプタの周波数分配機能によって低帯域の音声帯域信号と高帯域のＡＤＳＬ信号とに分離されたあと、その音声帯域信号が再びＡＤＳＬ信号に混合されて出力されることになる。このとき分離された音声帯域信号を用いて回線網制御装置７によるデータ通信が可能となる。本発明の適用に際しては、従来の保安器２とスプリッタ３とを接続する２心線の配線の途中に、ＡＤＳＬ用アダプタ１を配設すればよいことになる。なお図２において、１１，１２が第１または第２の混在信号入出力手段を構成し、１３，１４が第１または第２の音声入出力手段を構成している。また本実施例では線芯として表示しているが、モジュラーや端子台等を適宜選択してもよい。
【００２０】
図３は、本発明のＡＤＳＬ用アダプタの構成について説明するためのブロック図である。ＡＤＳＬ用アダプタ１は、一つのＨＰＦ（ハイパスフィルタ）１ａと、少なくとも２つのＬＰＨ（ローパスフィルタ）１ｂ，１ｃによって構成されている。２つのＬＰＨ１ｂ，１ｃは、双方向通信を行なうためには、回線網制御装置７の前後の信号路上に配されることが必要である。なお図中の保安器２とＬＰＦ１ｂの間、スプリッタ３とＬＰＦ１ｃの間を結ぶ信号線が2つのＬＰＦをバイパスする信号線に相当する。
【００２１】
ＬＰＨ１ｂ，１ｃは、ＡＤＳＬ信号を遮断し、音声帯域信号を通過させる低帯域通過特性を有し、ＨＰＦ１ａは、逆に音声帯域信号を遮断し、ＡＤＳＬ信号を通過させる高帯域通過特性を有する。保安器２から、もしくはスプリッタ３からの入力信号は、ＡＤＳＬ用アダプタ１の内部でＨＰＦ１ａとＬＰＦ１ａ（または１ｂ）との両方に入力され、各フィルタの特性に従って所定の波長帯域の信号のみが出力される。
【００２２】
図４は、本発明に好適に適用されるＬＰＦ及びＨＰＦの帯域特性の一例について示すグラフである。図４に示すように、ＡＤＳＬ通信の特性に従って、ＬＰＦは、音声帯域信号に該当する４ｋＨｚ以下の帯域の信号を通過せしめ、一方ＨＰＦはＡＤＳＬ信号に該当する２５ｋＨｚ以上の帯域信号を通過せしめるように設計されている。ＬＰＦ及びＨＰＦの構造は、公知のものを用いることができ、上記のごとくの遮断点を設定すればよい。例えば、ＬＰＦとしては、複数のコイルとコンデンサと抵抗の組み合わせによる数次のフィルタとして設計でき、またＨＰＦはコンデンサ等によって設計できる。
【００２３】
図３の構成によって、音声帯域信号とＡＤＳＬ信号が混合された信号において、ＡＤＳＬ信号は、ＨＰＦ１ａの作用によって保安器２とスプリッタ３との間でほぼ損失を受けることなく通過するので、回線網制御装置７を通過する事無くアダプタ１を通過しており回線網制御装置の動作・非動作に係わらずＡＤＳＬデータ通信を問題なく実行することができる。また、音声帯域信号は、保安器２とスプリッタ３との間で、回線網制御装置７を介して通過することになる。従って回線網制御装置７は、公衆回線網とのデータ通信が可能である。また、回線網制御装置７が使用されていないときは、スプリッタ３の下流側に配された電話機等を使用することができる。
【００２４】
本発明のＡＤＳＬ用アダプタによれば、回線網制御装置が簡便に利用でき、このときにノーリンギングによる通信も従来と同様に使用できる。また、本ＡＤＳＬ用アダプタによる高帯域における干渉はなく、本ＡＤＳＬ用アダプタの下流側に接続されたＰＣ等によるインターネット等のサービスへの影響はない。
【００２５】
また、本発明のＡＤＳＬ用アダプタの機能を回線網制御装置に内蔵してもよく、回線網制御装置のＬ１／Ｌ２及びＴ１／Ｔ２とＡＤＳＬ用アダプタの２つの音声帯域入出力を接続し、このようなＡＤＳＬ用アダプタ機能つき回線網制御装置を保安器からモジュラーの間に設置しておけば、これまで通常のデータ通信を行っていたユーザが、あらたにＡＤＳＬ通信を利用しようとする場合にも、特別な配線工事を行うことなく、簡便かつ容易にシステムの構築が可能となる。
【００２６】
また、ＡＤＳＬ用アダプタは、屋外に設置されるために防水機能が付与される。これは公知の手段を用いて機能付与を行うことができる。例えば、筐体の合わせ部分及び配線の導入部分にパッキン等を配する一般的な方式でもよく、また、密閉した筐体内部から予め必要な配線を所定の長さで出しておくようにしてもよい。これらの防水機能は、防水レベルとコスト条件とを考慮して決定される。
【００２７】
【発明の効果】
以上の説明から明らかなように、本発明によれば、メータ等の集中監視システムをＡＤＳＬ回線に組み込むためのアダプタであって、一般家庭やオフィス等において屋内から屋外への配線工事を行う必要なく、簡易な工事のみでシステム化を行うことができるＡＤＳＬ回線用アダプタと、該アダプタを用いた集中監視システムを提供することができる。
【図面の簡単な説明】
【図１】  本発明のＡＤＳＬ回線用アダプタを用いたＡＤＳＬ通信システムの構成例について説明するためのブロック図である。
【図２】  ＡＤＬＳ回線用アダプタの機能及び該アダプタに対する配線構成について説明するための図である。
【図３】  本発明のＡＤＳＬ用アダプタの構成について説明するためのブロック図である。
【図４】  本発明に適用されるＬＰＦ及びＨＰＦの帯域特性の一例について示すグラフである。
【図５】  ＡＤＳＬ通信方式を利用するために必要とする機器構成例を説明するためのブロック図である。
【図６】  メータの集中監視システムをＡＤＳＬシステムに導入しようとする場合の構成例について説明するためのブロック図である。
【符号の説明】
１…ＡＤＳＬ回線用アダプタ、２…保安器、３…スプリッタ、４…モデム、５…ＰＣ、６…電話機、７…回線網制御装置、８…ガスメータ、９…公衆回線網、１０…加入者線。
【図１】
0004475830.tif 000002
【図２】
0004475830.tif 000003
【図３】
0004475830.tif 000004
【図４】
0004475830.tif 000005
【図５】
0004475830.tif 000006
【図６】
0004475830.tif 000007